(57)【特許請求の範囲】
【請求項１】
基体フレームに座部を設け、座部に対して足載せ台を揺動させて出入れ自在に設け、足載せ台と基体フレームとの間に駆動伸縮ユニットを介装して足載せ台を使用姿勢と格納する非使用姿勢とに切換え可能に構成した椅子であって、座部に足載せ台を回動支点において回動自在に枢支連結し、足載せ台を押上げる緩衝リンクを足載せ台に設けた支点軸の回りに揺動自在に枢支連結し、緩衝リンクの先端部と基体フレームとの間に駆動伸縮ユニットを介装して下降揺動する足載せ台に一定以上の突上げ力が掛かると足載せ台の下降揺動を停止するとともに突上げ力が解除されると非使用姿勢への下降揺動を継続する機械的な緩衝手段を構成し、緩衝リンクの支点軸を足載せ台の回動支点に近接させて成ることを特徴とする椅子。
【請求項２】
緩衝リンクの支点軸と緩衝リンクに駆動伸縮ユニットを枢支連結する枢支連結軸との距離を９０ｍｍ以下にして成ることを特徴とする請求項１記載の椅子。
【発明の詳細な説明】
【０００１】
【発明の属する技術分野】
本発明は、足載せ台を使用姿勢に持上げるとともに非使用姿勢に格納する椅子に関し、詳しくは、機械的に簡単な構成でありながら、足載せ台を非使用姿勢に格納する場合の安全性を高めようとする技術に係るものである。
【０００２】
【従来の技術】
従来、図６に示すように、基体フレーム１に座部２を設け、座部２に対して足載せ台３を揺動させて出入れ自在に設け、足載せ台３と基体フレーム１との間に駆動伸縮ユニット５を介装して足載せ台３を使用姿勢と格納する非使用姿勢とに切換え可能に構成した椅子においては、駆動伸縮ユニット５の伸長量に応じて足載せ台３が下降揺動するのである。
【０００３】
【発明が解決しようとする課題】
ところで、このように駆動伸縮ユニット５の伸長に伴って足載せ台３が下降揺動する構成においては、例えば、座部２の下方の空所に子供が入ったり、他物が存在する場合に、安全性に問題が生じ、又、可動側のリンクや駆動伸縮ユニット等を損傷することにもなるものである。
【０００４】
このような問題を防止するのに際して、例えば、駆動伸縮ユニット５を駆動する電動モータに流れる電流を検知して上記問題を電気的に防止していた。
【０００５】
ところで、このような構成においては、電気的な構造が複雑となってコストが高くなる等という問題があった。
【０００６】
本発明はこのような問題に鑑みてなされたものであり、機械的に簡単な構成でありながら、足載せ台を非使用姿勢に格納する場合の安全性を高めることができる椅子を提供することを課題とするものである。
【０００７】
【課題を解決するための手段】
請求項１においては、基体フレーム１に座部２を設け、座部２に対して足載せ台３を揺動させて出入れ自在に設け、足載せ台３と基体フレーム１との間に駆動伸縮ユニット５を介装して足載せ台３を使用姿勢と格納する非使用姿勢とに切換え可能に構成した椅子であって、座部２に足載せ台３を回動支点４において回動自在に枢支連結し、足載せ台３を押上げる緩衝リンク７を足載せ台３に設けた支点軸８の回りに揺動自在に枢支連結し、緩衝リンク７の先端部と基体フレーム１との間に駆動伸縮ユニット５を介装して下降揺動する足載せ台３に一定以上の突上げ力が掛かると足載せ台３の下降揺動を停止するとともに突上げ力が解除されると非使用姿勢への下降揺動を継続する機械的な緩衝手段６を構成し、緩衝リンク７の支点軸８を足載せ台３の回動支点４に近接させていることを特徴とする。
【０００８】
このような構成によれば、足載せ台３の収納に際して座部２の下部に例えば子供や他物が入り込んでいて足載せ台３が一定以上の突上げ力を受ける場合には、緩衝手段６によって足載せ台３がそれ以上に下降回動するのを回避させることができるのであり、安全性を高めることができ、かつ、緩衝手段６は機械的な手段であって、電気的手段に比べてコストを低下させやすい。
【０００９】
また、請求項１においては、足載せ台３を押上げる緩衝リンク７を足載せ台３に設けた支点軸８の回りに揺動自在に枢支連結していることを特徴とするものである。このような構成によれば、足載せ台３の収納に際して足載せ台３が一定以上の突上げ力を受ける場合に、足載せ台３と駆動伸縮ユニット５側の緩衝リンク７とは支点軸８の回りに揺動して駆動伸縮ユニット５の動作を許容するのであり、機械的な簡単の構成で外観的にすっきりさせて緩衝手段６を構成することができる。
【００１０】
更に、請求項１においては、座部２に足載せ台３を回動支点４において回動自在に枢支連結し、緩衝リンク７の支点軸８を足載せ台３の回動支点４に近接させていることを特徴とするものである。このような構成によれば、緩衝リンク７の支点軸８を足載せ台３の回動支点４に近接させていることから、緩衝リンク７の回動量と略同量の回動量でもって足載せ台３を回動させることができ、緩衝リンク７の少ない回動量で足載せ台３を大きな回動角で回動させることができ、駆動伸縮ユニット５の回転角θが少なくて済、駆動伸縮ユニット５を収納するスペースを小にできる。
【００１１】
この場合、使用姿勢の足載せ台３において、床面からの高さＨを約１７０ｍｍ以上を確保するにあたり、緩衝リンク７の支点軸８と緩衝リンク７に駆動伸縮ユニット５を枢支連結する枢支連結軸１０との距離を９０ｍｍ以下にすることが好ましい。
【００１２】
【発明の実施の形態】
以下、本発明の実施の形態を説明する。図１は緩衝手段の動作を示す説明図、図２は足載せ台の使用姿勢を示す側面図、図３は足載せ台の非使用姿勢を示す側面図である。
【００１３】
椅子Ａは、パイプ製の基体フレーム１に座部２を設け、座部２の前端部に足載せ台３を回動支点４の回りに回動自在に枢支連結し、足載せ台３と基体フレーム１との間に駆動伸縮ユニット５を介装して足載せ台３を略水平となる使用姿勢と略垂直となる非使用姿勢とに切換え可能に構成している。
【００１４】
このような構成の椅子Ａにおいては、駆動伸縮ユニット５を収縮して足載せ台３を下降回動させた場合に、座部２の下方に例えば子供や他物が入込んでいる場合に安全上問題であり、本発明においては、足載せ台３が下降するのを回避するようにして安全を図るようにしている。以下、詳述する。
【００１５】
座部２は座部クッション１１と座部フレーム１２とから構成され、足載せ台３は足載せクッション１３と足載せフレーム１４とから構成され、座部フレーム１２に足載せフレーム１４が回動支点４において回動自在に枢支連結されている。
【００１６】
足載せフレーム１４に設けた支点軸８に緩衝リンク７が揺動自在に枢支連結されている。緩衝リンク７の遊端部に駆動伸縮ユニット５の先端部が枢支連結軸１０において枢支連結されている。駆動伸縮ユニット５の他端部は座部フレーム１２にピン２０を介して枢支連結されるとともに位置が固定されている。しかして、駆動伸縮ユニット５の伸張によって緩衝リンク７の先端部７ａにて足載せフレーム１４を押上げて足載せ台３を回動支点４の回りに持上げ回動させるようにしている。
【００１７】
このような構成によれば、駆動伸縮ユニット５の収縮に伴う足載せ台３の収納に際して座部２の下部に例えば子供や他物が入り込んでいて足載せ台３が一定以上の突上げ力を受ける場合には、足載せフレーム１４に対して緩衝リンク７が駆動伸縮ユニット５に引かれて支点軸８の回りに回動して駆動伸縮ユニット５の動作を許容するのであり、駆動伸縮ユニット５が収縮した状態で足載せ台３は障害物に当たって残るのであり、安全性を高めるのである。このように、足載せ台３の下降回動を緩衝する構成を緩衝手段６と総称するが、この構成は変更することができる。しかして、機械的な簡単の構成で外観的にすっきりさせて緩衝手段６を構成することができるのである。
【００１８】
この場合、支点軸８には巻きばね９を巻装して緩衝リンク７を足載せフレーム１４側に回動付勢していて、上述の足載せ台３の収納に際して足載せ台３が障害物に当たって一定以上の突上げ力を受ける場合に、巻きばね９を巻く方向にばね力を蓄えるのであり、障害物が取り除かれた場合及び障害物が存在しない場合に足載せ台３の下降回動が足載せ台３の自重と相俟って円滑におこなわれる。巻きばね９を支点軸８に巻装する形態は種々変更することができる。
【００１９】
ところで、緩衝リンク７の支点軸８を足載せ台３の回動支点４に近接させていることから、緩衝リンク７の回動量と略同量の回動量でもって足載せ台３を回動させることができ、緩衝リンク７の少ない回動量で足載せ台３を大きな回動角で回動させることができ、駆動伸縮ユニット５の回転角θが少なくて済み、駆動伸縮ユニット５を収納するスペースを小にでき、かつ、駆動伸縮ユニット５の推力を小にでき、モーター１５を小型化できるものである。
【００２０】
しかも、足載せフレーム１４に支点軸８によって枢支連結されている緩衝リンク７の下端部７ａによって足載せ台３をその回動支点４から離れた箇所を押上げるのであり、このように、足載せフレーム１４は回動支点４から離れた箇所において押上げられて駆動伸縮ユニット５のストロークを小にできるとともに、持上げ負荷を軽減することができるものである。
【００２１】
この場合、使用姿勢の足載せ台３において、床面からの高さＨを約１７０ｍｍ以上を確保するにあたり、緩衝リンク７の支点軸８と緩衝リンク７に駆動伸縮ユニット５を枢支連結する枢支連結軸１０との距離を９０ｍｍ以下にすることが好ましい。
【００２２】
図４及び図５は駆動伸縮ユニット５を示し、モーター１５の出力軸の回転によってウオーム軸１７を回転させ、ウオーム軸１７の回転によってウオームホイール２１を回転させ、ウオームホイール２１の回転によって送りねじ軸１８を回転させ、送りねじ軸１８を固定パイプ１９に対して出入りさせるものである。このような駆動伸縮ユニット５の構成は変更することができる。
【００２３】
【発明の効果】
請求項１においては、基体フレームに座部を設け、座部に対して足載せ台を揺動させて出入れ自在に設け、足載せ台と基体フレームとの間に駆動伸縮ユニットを介装して足載せ台を使用姿勢と格納する非使用姿勢とに切換え可能に構成した椅子であって、座部に足載せ台を回動支点において回動自在に枢支連結し、足載せ台を押上げる緩衝リンクを足載せ台に設けた支点軸の回りに揺動自在に枢支連結し、緩衝リンクの先端部と基体フレームとの間に駆動伸縮ユニットを介装して下降揺動する足載せ台に一定以上の突上げ力が掛かると足載せ台の下降揺動を停止するとともに突上げ力が解除されると非使用姿勢への下降揺動を継続する機械的な緩衝手段を構成し、緩衝リンクの支点軸を足載せ台の回動支点に近接させているから、足載せ台の収納に際して座部の下部に例えば子供や他物が入り込んでいて足載せ台が一定以上の突上げ力を受ける場合には、緩衝手段によって足載せ台がそれ以上に下降回動するのを阻止することができるのであり、安全性を高めることができ、かつ、緩衝手段は機械的な手段であって、電気的手段に比べてコストを低下させやすいという利点がある。
【００２４】
また、請求項１においては、足載せ台を押上げる緩衝リンクを足載せ台に設けた支点軸の回りに揺動自在に枢支連結しているから、足載せ台の収納に際して足載せ台が一定以上の突上げ力を受ける場合に、足載せ台と駆動伸縮ユニット側の緩衝リンクとは支点軸の回りに揺動して駆動伸縮ユニットの動作を許容するのであり、機械的な簡単の構成で外観的にすっきりさせて緩衝手段を構成することができるという利点がある。
【００２５】
更に、請求項１においては、座部に足載せ台を回動支点において回動自在に枢支連結し、緩衝リンクの支点軸を足載せ台の回動支点に近接させているから、緩衝リンクの回動量と略同量の回動量でもって足載せ台を回動させることができ、緩衝リンクの少ない回動量で足載せ台を大きな回動角で回動させることができ、駆動伸縮ユニットの回転角が少なくて済、駆動伸縮ユニットを収納するスペースを小にできるという利点がある。
【図面の簡単な説明】
【図１】本発明の緩衝手段の動作を示す説明図である。
【図２】同上の足載せ台の使用姿勢を示す側面図である。
【図３】同上の足載せ台の非使用姿勢を示す側面図である。
【図４】同上の駆動伸縮ユニットの一部破断した側面図である。
【図５】同上の駆動伸縮ユニットを示し、（ａ）は一部破断した側面図、（ｂ）は平面図、（ｃ）は一部破断した正面図である。
【図６】従来例を示し、（ａ）は足載せ台の非使用姿勢の概略側面図、（ｂ）は足載せ台の使用姿勢の概略側面図である。
【符号の説明】
１  基体フレーム
２  座部
３  足載せ台
４  回動支点
５  駆動伸縮ユニット
６  緩衝手段
【図１】
0003925022.tif 000002
【図２】
0003925022.tif 000003
【図３】
0003925022.tif 000004
【図４】
0003925022.tif 000005
【図５】
0003925022.tif 000006
【図６】
0003925022.tif 000007